(57)【要約】【課題】浴室内の鏡、中でも防曇鏡に付着して簡単に除去できない汚れを、簡単に且つ安全に、そして完全に除去することができる鏡の汚れ除去材を提供する。【解決手段】汚れ除去成分として弱酸成分を含むシート状水分保持材１と、このシート状水分保持材１に接合され、当該シート状水分保持材１より食み出た接着代部２ａを有するシート状非透水性基材２と、上記シート状水分保持材１を覆って当該シート状水分保持材１に含浸されている前記弱酸成分乃至水成分の蒸発を抑えるシート状水分遮蔽材４を有しており、前記シート状非透水性基材２の接着代部２ａに、使用時に鏡の表面に止着する接着層３ａが形成されており、当該接着層３ａに前記シート状水分遮蔽材４が剥離可能に接着されて密封されている。【選択図】  図１
2004275637.tif 000002
【特許請求の範囲】
【請求項１】
鏡の表面に当接し且つ含浸可能な水分保持材と、鏡の表面に当接された前記水分保持材を、当該鏡の表面との間で外側から覆う非透水性基材を備えた鏡の汚れ除去材。
【請求項２】
前記水分保持材に汚れ除去成分が含浸されている請求項１記載の鏡の汚れ除去材。
【請求項３】
前記水分保持材が、汚れ除去成分として弱酸成分を含浸可能なシート状水分保持材であり、前記非透水性基材がシート状非透水性基材であって、前記シート状水分保持材と前記シート状非透水性基材とが接合一体化されており、前記鏡への止着手段を備えている請求項１又は２記載の鏡の汚れ除去材。
【請求項４】
汚れ除去成分として弱酸成分を含むシート状水分保持材と、
このシート状水分保持材に接合され、当該シート状水分保持材より食み出た接着代部を有するシート状非透水性基材と、
上記シート状水分保持材を覆って当該シート状水分保持材に含浸されている前記弱酸成分乃至水成分の蒸発を抑えるシート状水分遮蔽材を有しており、
前記シート状非透水性基材の接着代部に、使用時に鏡の表面に止着する接着層が形成されており、当該接着層に前記シート状水分遮蔽材が剥離可能に接着されて密封されていることを特徴とする鏡の汚れ除去材。
【請求項５】
浴室の鏡の表面に析出した無機物の汚れを除去する用途に適用される、請求項１乃至４のいずれかの項に記載した鏡の汚れ除去材。
【請求項６】
防曇鏡の表面に、請求項１乃至４のいずれかの項に記載された汚れ除去材の水分保持材を当接し、非透水性基材によりこの水分保持材を当該鏡の表面との間で外側から覆って、水分保持材に含浸された汚れ除去成分によって、前記防曇鏡の背面に設けられたヒータによる加熱状態下で養生させることを特徴とする防曇鏡の汚れ除去方法。
【発明の詳細な説明】
【０００１】
【発明の属する技術分野】
本発明は、鏡の表面に付着した汚れ、特に浴室の鏡の表面に析出した無機物の汚れを除去する用途に適した鏡の汚れ除去材に関する。
【０００２】
【従来の技術】
従来、鏡の背面にヒータを備えた防曇鏡が提供されている（例えば、特許文献１参照）。この鏡は、ヒータによる加熱によって、例えば高湿度の浴室内で生じる鏡の曇りを防止するものである。
【０００３】
【特許文献１】
特許第３０７８４７４号公報、第１頁
【０００４】
【発明が解決しようとする課題】
しかし、浴室内の鏡には様々な汚れが付着するが、中でもガラスクリーナーなど市販の清掃用薬剤では簡単に除去できない汚れがある。前記防曇鏡の場合、この傾向が強い。この汚れを除去するためには、カッターやナイフの刃で削ったり、研磨剤で磨くなどの方法があるが、これでは鏡の表面を傷つけるため採用することは難しい。一方、市販の強酸や強アルカリの洗浄用薬剤を用いることもできるが、浴室用の鏡には通常鏡用棚材料であるハイインパクトポリスチレン等のプラスチック材が用いられているため、これを侵したりする場合もあり、また取り扱いの安全性の点からすると、他の除去方法が好ましい。
【０００５】
本発明の目的は、浴室内の鏡、中でも防曇鏡に付着して簡単に除去できない汚れを、簡単に且つ安全に、そして完全に除去することができる鏡の汚れ除去材を提供するところにある。
【０００６】
【課題を解決するための手段】
本発明者は、鋭意検討した結果、浴室内の鏡を良く観察すると、鏡全体が均一に汚れているのではなく、裏側にヒータのある発熱部分の鏡の表側に汚れがひどいことがわかり、そしてその汚れは、水道水に含まれるカルシウム、マグネシウム等の無機物の沈着物であることが判明した。
【０００７】
本発明者は上記知見に基づき、鏡の表面に当接し且つ含浸可能な水分保持材と、鏡の表面に当接された前記水分保持材を、当該鏡の表面との間で外側から覆う非透水性基材を備えた鏡の汚れ除去材を備えた鏡の汚れ除去材を採用した。
【０００８】
これにより、あらかじめ前記水分保持材に例えば酢酸、クエン酸、食用飲料用有機酸などの弱酸成分等の汚れ除去成分を含浸しておくか、又は使用時に上記汚れ除去成分を含浸することによって、この汚れ除去材を用いて、汚れた鏡表面に前記水分保持材をあてがい、さらにこの水分保持材を当該鏡の表面との間でその鏡の外側から非透水性基材にて覆うと、鏡表面に付着した無機物の沈着物に対して、いわば前記汚れ除去成分による養生空間が実現し、酢酸等の汚れ除去成分によって上記無機物の沈着が容易に除去される。
【０００９】
【発明の実施の形態】
以下、本発明の鏡の汚れ除去材の一実施形態を説明するが、本発明はこれに限定されるものではない。
図１は本発明の鏡の汚れ除去材の一実施形態を示す概略断面図である。１は汚れ除去成分として弱酸成分を含む不織布のシート状水分保持材であり、２はこのシート状水分保持材１に接着剤層３を介して接合一体化され、当該シート状水分保持材１より食み出た接着代部２ａを有する熱可塑性樹脂フィルムのシート状非透水性基材である。なお、本発明でいう「シート状」とはシート、フィルム、布状物等を広く含み、広義に解釈される。
【００１０】
４はシート状水分保持材１を覆って当該シート状水分保持材１に含浸されている前記弱酸成分乃至水成分の蒸発を抑えるシート状水分遮蔽材である。本実施形態の鏡の汚れ除去材は、図１に示される様に、前記シート状非透水性基材２の接着代部２ａに、使用時に鏡の表面に止着する接着層３ａが形成されており、前記接着剤層３の連続層（例えば粘着シート）として構成されている。そして、この実施形態の鏡の汚れ除去材は、使用前の形態として、当該接着層３ａに例えば非通水性のある離型紙などのシート状水分遮蔽材４が剥離可能に接着されてシート状水分保持材１が密封されている。
【００１１】
従って、使用にあたっては、図２に示す様に、シート状水分遮蔽材４をシート状非透水性基材２の接着代部２ａに形成された接着剤層３ａから剥離し、シート状水分遮蔽材４が剥離された状態の図３に示す如き汚れ除去材５のシート状非透水性基材２を、図４に示すように、鏡６の表面６ａに付着した汚れ７の上から当てがい、シート状非透水性基材２を当該鏡６の表面６ａに接着剤層３ａにて止着して、当該鏡６の表面との間で外側（反鏡面側）から覆って止着するようにすれば、鏡６の表面６ａに付着した汚れ７（無機物の沈着物）に対して、汚れ除去成分による養生がなされ、その後、この汚れ７は布等によって鏡６の表面６ａから容易に除去される。尚、シート状非透水性基材２を、当該鏡６の表面６ａに接着剤層３ａにて止着する場合、当該鏡６の表面との間で密封状態で覆うことは、水成分の蒸発を防ぎ、養生効果を促進する点で好ましい。
【００１２】
上記汚れ除去成分としては特に限定されるものではないが、浴室内の鏡に付着して除去し難い汚れが、水道水に含まれる無機物の沈積物であることから、養生することで沈積状態を分解させやすい弱酸性成分、特に食酢等の酢酸やクエン酸或は食用飲料用有機酸などが最も好ましい。またこれらは安全性の点でも最適である。
【００１３】
上記汚れ除去成分や水分を含浸させる前記水分保持材も、前記実施形態の様な不織布に必ずしも限定されるものではないが、食酢などの酢酸等や水分が充分保持される吸水性材料乃至保水性材料が好ましく、例えば吸水紙（吸い取り紙等）、紙、吸水フィルム（親水性材料を含むフィルム）、吸水パウダー、吸水パウダーを塗布した不織布、ウレタン等のフォーム材乃至スポンジ、布等の繊維物、ガラスウール、皮革、海綿、吸水性のあるゲル状シート等のゲル状物が挙げられる。また、物理的吸着を利用するものとして、活性炭、ゼオライトなどの多孔質材を含むシート乃至フィルムが挙げられる。これらは１種又は２種以上を組み合わせて用いることができる。取り扱い等の点で、不織布が最も好ましい。
【００１４】
非透水性基材も特に限定されるものではなく、前記実施形態の様な熱可塑性樹脂フィルムのほか、アルミ蒸着フィルム、アルミ箔などが用いられる。また、熱可塑性樹脂フィルムもポリプロピレン、ポリエチレンテレフタレート、ポリエチレン、ポリビニルクロライド、エチレン酢酸ビニルコポリマー、塩化ビニリデン樹脂、ポリアミド樹脂（ナイロン）などが用いられる。
【００１５】
また本発明の汚れ除去材を鏡に止着させる手段も、接着剤、接着テープ等の接着材に限定されるものでなく、鏡に吸引止着するパッドや、鏡に機械的に取り付ける止着構造物でも差し支えない。要するに、鏡の表面に当接する水分保持材と、鏡の表面に当接された前記水分保持材を当該鏡の表面との間で外側から覆う非透水性基材を備え、前記水分保持材に汚れ除去成分が含浸されている鏡の汚れ除去材であれば、すべて本発明に含まれるものである。
本発明において接着剤を用いるか又は接着剤層を構成する場合は、酢酸ビニルアクリレート系接着剤や、アクリル系接着剤等の粘着剤を用いることが好ましい。
【００１６】
なお、本発明の使用方法として、特に防曇鏡の表面に付着した汚れを除去する場合は、その防曇鏡の表面に、既述したいずれかの汚れ除去材の水分保持材を当接し、非透水性基材によりこの水分保持材を当該鏡の表面との間で外側から覆って、水分保持材に含浸された汚れ除去成分によって、前記防曇鏡の背面に設けられたヒータによる加熱状態下で養生させることを特徴とする防曇鏡の汚れ除去方法を採用すれば、さらに効果的かつ迅速に汚れを除去することができる。
【００１７】
【実施例】
前記図１に示す構成で、下記の構成要素を用いた鏡の汚れ除去材を試作した。シート状水分遮蔽材を構成する離型紙として、０．１ｍｍコート紙、
シート状水分保持材を構成する不織布として、厚み１ｍｍ、１００ｇ／ｍ２のＰＥＴ系不織布、
接着剤層を構成する粘着シートとして、エチレン酢酸ビニルコポリマー系シート、厚み１０μｍ
シート状非透水性基材を構成する表皮フィルムとして、厚み０．５ｍｍのエチレン酢酸ビニルコポリマー系ターポリン、
汚れ除去成分として、ｐＨ４〜５の弱酸性の食酢
【００１８】
そして、上記実施例の汚れ除去材を用いて、ガラスクリーナーでは簡単に除去できない汚れが付着した防曇鏡の表面に適用し、既述した使用方法によって、汚れの除去について評価した。その結果、汚れを簡単に完全に除去することができた。
【００１９】
【発明の効果】
本発明は、鏡の表面に当接する水分保持材と、鏡の表面に当接された前記水分保持材を、当該鏡の表面との間で外側から覆う非透水性基材を備え、前記水分保持材に汚れ除去成分が含浸されている鏡の汚れ除去材であるため、浴室内の鏡、中でも防曇鏡に付着して簡単に除去できない汚れを、簡単に且つ完全に除去することができる。特に、前記汚れ除去成分として食酢等の弱酸性成分を用いると、汚れの除去効果は優れており、また安全である。
【図面の簡単な説明】
【図１】本発明に係る鏡の汚れ除去材の一実施形態を示す概略断面図である。
【図２】シート状水分遮蔽材の剥離状態を示す同汚れ除去材の概略断面図である。
【図３】シート状水分遮蔽材の剥離後の同汚れ除去材の概略平面図である。
【図４】同汚れ除去材を鏡に接着した使用状態を示す概略断面図である。
【符号の説明】
１        シート状水分保持材
２        シート状非透水性基材
２ａ      接着代部
３        接着層
３ａ      接着層
４        シート状水分遮蔽材
【図１】
2004275637.tif 000003
【図２】
2004275637.tif 000004
【図３】
2004275637.tif 000005
【図４】
2004275637.tif 000006